(57)【要約】【課題】携帯電話機等の携帯端末に格納された電話帳やブックマークなどのユーザ登録情報の保存について、ユーザの負担を軽減してバックアップ可能なデータ処理装置を提供する。【解決手段】ユーザ登録情報を格納した携帯端末２０からユーザ登録情報を受信するための端末接続部と、ユーザ登録情報を格納するための記憶部と、ユーザ登録情報を記録媒体に印刷するための印刷部と、ユーザによるユーザ登録情報の印刷指示の信号を受け取ると携帯端末２０から受信したユーザ登録情報を記憶部に格納し、記憶部のユーザ登録情報を印刷部に印刷させる制御部とを有する構成である。【選択図】  図１
2004289271.tif 000002
【特許請求の範囲】
【請求項１】
ユーザ登録情報を格納した携帯端末から該ユーザ登録情報を受信するための端末接続部と、
前記ユーザ登録情報を格納するための記憶部と、
前記ユーザ登録情報を記録媒体に印刷するための印刷部と、
ユーザによる前記ユーザ登録情報の印刷指示の信号を受け取ると、前記携帯端末から受信した前記ユーザ登録情報を前記記憶部に格納し、該記憶部の該ユーザ登録情報を前記印刷部に印刷させる制御部と、
を有するデータ処理装置。
【請求項２】
前記制御部は、
前記印刷部に前記ユーザ登録情報を印刷させた後、該ユーザ登録情報を前記記憶部から削除する請求項１記載のデータ処理装置。
【請求項３】
印刷される前記ユーザ登録情報の印刷レイアウトを表示するための表示手段を備え、
前記制御部は、
前記ユーザ登録情報を編集して前記印刷レイアウトの情報を前記表示手段に表示させる請求項１または２記載のデータ処理装置。
【請求項４】
前記制御部は、
印刷される前記記録媒体の数に対応して請求金額を算出し、該請求金額を前記表示手段に表示させる請求項１乃至３のいずれか１項記載のデータ処理装置。
【請求項５】
ユーザ登録情報を格納した第１の携帯端末および該ユーザ登録情報の複写先となる第２の携帯端末と該ユーザ登録情報を送受信するための端末接続部と、
ユーザにより装着された携帯用記録媒体に前記ユーザ登録情報を記録する処理と前記携帯用記録媒体に記録されたユーザ登録情報を前記第２の携帯端末に複写する処理を実行する記録部と、
ユーザによる前記ユーザ登録情報の前記携帯用記録媒体への記録指示の信号を受け取ると、前記第１の携帯端末から受信した前記ユーザ登録情報を前記携帯用記録媒体へ前記記録部に記録させ、ユーザによる前記ユーザ登録情報の前記第２の携帯端末への複写指示の信号を受け取ると、前記ユーザ登録情報を前記第２の携帯端末へ前記記録部に複写させる制御部と、
を有するデータ処理装置。
【発明の詳細な説明】
【０００１】
【発明の属する技術分野】
本発明は、携帯電話機および電子手帳等の携帯端末に格納された情報の保存をバックアップするためのデータ処理装置に関する。
【０００２】
【従来の技術】
最近の携帯電話機の普及は目覚しい。また、携帯電話機が備える機能も充実し、通話だけでなく、電子メールの送受信やインターネットのウェブサイトにアクセス可能なインターネット対応型携帯電話機も広く普及してきた。
【０００３】
このような携帯電話機はメモリを備え、単に電話番号が記載された電話帳だけでなく、利用頻度の高いウェブサイトのアドレス（ＵＲＬ：Ｕｎｉｆｏｒｍ  Ｒｅｓｏｕｒｃｅ  Ｌｏｃａｔｏｒｓ）が記録されたブックマーク、および電子メールアドレスなどの情報を含むユーザ登録情報が保存されている。また、電子メールでやり取りした受信メールや送信メールもメモリに保存される。
【０００４】
上記ユーザ登録情報は携帯電話機のメモリに格納された電子データであるため、携帯電話機が水をかぶることや強い衝撃を受けることなどの事故により、携帯電話機の内部回路が破壊され、ユーザ登録情報がメモリから消失することがある。このようなメモリ内容消失事故に万一遭遇すると、ユーザ登録情報はユーザ固有の情報であるため、ユーザがその情報を携帯電話機以外のものに記録していなければ、新たに登録し直すことは困難である。
【０００５】
一方、ユーザが長年使用していた携帯電話機を新しいモデルに機種変更する際、携帯電話機の販売店ではユーザ登録情報を新しいモデルの機種にコピーするサービスを行っている。しかし、機種によっては、ユーザ登録情報の一部をコピーできない場合があり、上記サービスはユーザにとって充分なものではなかった。
【０００６】
ユーザ登録情報保存のバックアップのために、パーソナルコンピュータ（以下、パソコンと称する）を自宅に備えたユーザの一部は、市販のコピーソフトを購入して、携帯電話機に保存されたユーザ登録情報をパソコンにコピーしたり、その情報を所定の出力形式に編集してプリンタに印刷させたりして、自衛手段を講じていた。
【０００７】
なお、携帯電話機に格納された情報をユーザが使用可能な印刷装置に公衆電話回線を介して送信する方法もある（例えば、特許文献１参照）。しかし、ユーザ登録情報のように、ユーザにとって秘匿しておきたい情報が公衆電話回線を介して送信されることは好ましくない。
【０００８】
【特許文献１】
特開２００２−１３２６３６号公報
【０００９】
【発明が解決しようとする課題】
携帯電話機を所有するユーザが急速に増加しているが、全てのユーザが自宅にパソコンやプリンタなどの電子機器を所有しているわけではなく、ユーザ登録情報の消失を防ぐために上記電子機器を購入しようとすると、個人で負担する設備費用が大きくなってしまう。そのため、電子機器購入のための費用をかけずに、ユーザ登録情報の保存をバックアップする唯一の残された方法は手書きでメモ帳などの紙に書き写すことである。
【００１０】
一方、携帯電話機はほとんど毎日、ユーザにより文字通り携帯され、日常の生活の中で情報が読み書きされ、コミュニケーションのための情報端末として利用されている。そのため、ユーザは日々の生活のなかで、電話帳やブックマークに新しい電話番号、電子メールアドレス、ＵＲＬなどを追加登録することが多い。これら追加登録する度に、ユーザが手書きでメモ帳に書き写すのは手間がかかるという問題がある。
【００１１】
ユーザが携帯電話機に追加登録した情報を手書きでメモ帳に書き写す前に、メモリ内容を消失すると、追加登録した分の情報が残らなくなる。また、ユーザ登録情報をメモ帳に全く書き写していなければ、メモリ内容を万一消失した場合、ユーザに対して、消失したユーザ登録情報を登録し直すことによる時間的損害と、そのための手間を考えたときの心理的衝撃が大きくなりかねない。
【００１２】
上述のように、ユーザ登録情報は頻繁に更新されているので、保存のためのバックアップが手軽に実行できるものがユーザから望まれている。
【００１３】
本発明は上記したような従来の技術が有する問題点を解決するためになされたものであり、携帯電話機等の携帯端末に格納された電話帳やブックマークなどのユーザ登録情報の保存について、ユーザの負担を軽減してバックアップ可能なデータ処理装置を提供することを目的とする。
【００１４】
【課題を解決するための手段】
上記目的を達成するための本発明のデータ処理装置は、ユーザ登録情報を格納した携帯端末から該ユーザ登録情報を受信するための端末接続部と、
前記ユーザ登録情報を格納するための記憶部と、
前記ユーザ登録情報を記録媒体に印刷するための印刷部と、
ユーザによる前記ユーザ登録情報の印刷指示の信号を受け取ると、前記携帯端末から受信した前記ユーザ登録情報を前記記憶部に格納し、該記憶部の該ユーザ登録情報を前記印刷部に印刷させる制御部と、
を有する構成である。
【００１５】
本発明では、ユーザ登録情報が記録媒体に印刷されるため、ユーザは、その記録媒体を保管することで、携帯端末のユーザ登録情報が消失しても、保管してある記録媒体からユーザ登録情報を知ることができ、携帯端末にユーザ登録情報を登録し直すことも可能となる。
【００１６】
また、上記本発明のデータ処理装置において、前記制御部は、
前記印刷部に前記ユーザ登録情報を印刷させた後、該ユーザ登録情報を前記記憶部から削除することとしてもよい。
【００１７】
本発明では、ユーザ登録情報の印刷後、ユーザ登録情報が記憶部から削除されるため、ユーザ登録情報が他人に知られる心配がない。
【００１８】
また、上記本発明のデータ処理装置において、印刷される前記ユーザ登録情報の印刷レイアウトを表示するための表示手段を備え、
前記制御部は、
前記ユーザ登録情報を編集して前記印刷レイアウトの情報を前記表示手段に表示させることとしてもよい。
【００１９】
本発明では、印刷レイアウトが表示されるので、ユーザはユーザ登録情報がどのように印刷されるかがわかる。
【００２０】
また、上記本発明のデータ処理装置において、前記制御部は、
印刷される前記記録媒体の数に対応して請求金額を算出し、該請求金額を前記表示手段に表示させることとしてもよい。
【００２１】
本発明では、ユーザは自分のユーザ登録情報を印刷するための金額を知ることができる。
【００２２】
さらに、本発明のデータ処理装置は、ユーザ登録情報を格納した第１の携帯端末および該ユーザ登録情報の複写先となる第２の携帯端末と該ユーザ登録情報を送受信するための端末接続部と、
ユーザにより装着された携帯用記録媒体に前記ユーザ登録情報を記録する処理と前記携帯用記録媒体に記録されたユーザ登録情報を前記第２の携帯端末に複写する処理を実行する記録部と、
ユーザによる前記ユーザ登録情報の前記携帯用記録媒体への記録指示の信号を受け取ると、前記第１の携帯端末から受信した前記ユーザ登録情報を前記携帯用記録媒体へ前記記録部に記録させ、ユーザによる前記ユーザ登録情報の前記第２の携帯端末への複写指示の信号を受け取ると、前記ユーザ登録情報を前記第２の携帯端末へ前記記録部に複写させる制御部と、
を有する構成である。
【００２３】
本発明では、第１の携帯端末に格納されたユーザ登録情報を携帯用記録媒体に記録しておけば、第１の携帯端末に格納されたユーザ登録情報が消失しても、携帯用記録媒体から第２の携帯端末にその情報を複写できる。また、携帯用記録媒体にユーザ登録情報を記録しているので、ユーザが携帯用記録媒体を持ち運んで管理すれば、ユーザ登録情報が他人に知られる心配がない。
【００２４】
【発明の実施の形態】
本発明のデータ処理装置は、店舗や駅などの場所に設けられ、携帯電話機等の携帯端末のユーザが硬貨を投入することで、携帯端末に保存されている電話帳やブックマーク等のユーザ登録情報を携帯端末から読み取り、その情報を肉眼で目視可能な状態で紙などの記録媒体に印刷するものである。
【００２５】
（第１実施例）
本発明のデータ処理装置の構成について説明する。
【００２６】
図１は本発明のデータ処理装置の一構成例を示すブロック図である。
【００２７】
図１に示すように、本発明のデータ処理装置３０は、コンピュータ等の情報処理装置であり、ユーザ側に備えた携帯端末２０に格納されたユーザ登録情報を読み取り、その情報を記録媒体となる紙に印刷したデータシート４０を出力する。データ処理装置３０は、ユーザがいつでも手軽に利用可能にするために、店舗や駅など誰でも行くことが可能な場所に設置されている。
【００２８】
図２はデータ処理装置の具体的構成例を示すブロック図である。
【００２９】
図２に示すように、データ処理装置３０は、携帯端末２０とデータの送受信をするための端末接続部３１と、携帯端末２０から受信したユーザ登録情報を一時的に格納するための記憶部３２と、記憶部３２に格納したユーザ登録情報をデータシート４０に印刷するための印刷部３３と、ユーザが指示を入力するための操作部３４と、各部を制御する制御部３６とを有する構成である。操作部３４はユーザへの要求を通知するための表示手段を備えている。
【００３０】
制御部３６は、所定のプログラムに従って処理を実行するＣＰＵ（不図示）と、プログラムを格納するためのメモリ（不図示）とを備えている。プログラムには、データシート４０を一枚印刷する際に必要な金額が予め登録されている。
【００３１】
図３はデータ処理装置の外観を示す概略図である。
【００３２】
図３では、図２に示した操作部３４としてタッチパネル３４ａが設けられ、タッチパネル３４ａはユーザに対する操作の要求内容とユーザが操作するためのボタンを表示するディスプレイを備えている。ディスプレイの表面には圧力センサが設けられ、ディスプレイに表示されたボタンをユーザが押すと、圧力センサがオンしてその信号をタッチパネル３４ａは制御部３６に送出する。
【００３３】
また、端末接続部３１として携帯端末接続ケーブル３１ａが設けられている。硬貨投入口３４ｂには、投入された硬貨の種類を識別して、硬貨が示す金額の情報を制御部３６に送出する金額識別部（不図示）が操作部３４に接続されている。ユーザは印刷されるデータシート４０の枚数に対応する費用分の硬貨を硬貨投入口３４ｂに投入する。データシート取出口３３ａには、印刷部３３で印刷されたデータシート４０が出力される。
【００３４】
制御部３６は、ユーザにより硬貨が投入されたことを示す信号を金額識別部（不図示）から操作部３４を介して受け取ると、携帯端末２０の接続を要求する旨をタッチパネル３４ａに表示する。端末接続部３１に携帯端末２０が接続されると、制御部３６は携帯端末２０からユーザ登録情報を受信して記憶部３２に格納する。
【００３５】
また、記憶部３２に格納したユーザ登録情報を所定の出力形式に編集して印刷レイアウトの概略をタッチパネル３４ａに表示する。ユーザ登録情報が複数のデータシート４０に出力される場合、制御部３６は、印刷されるデータシート４０の枚数に応じて必要な金額を算出し、投入された硬貨の金額で印刷可能か否かを判定し、金額が不足していれば、追加金額と、追加硬貨を要求する旨をタッチパネル３４ａに表示する。ユーザにより追加硬貨が投入されると、投入された硬貨の全ての金額である合計金額と、印刷するデータシート４０の枚数と、確認操作を要求する旨をタッチパネル３４ａに表示する。続いて、ユーザの操作により確認したことを示す信号をタッチパネル３４ａから受け取ると、投入金額に対応する枚数のデータシート４０を印刷部３３に印刷させる。印刷終了後、ユーザ登録情報を記憶部３３から削除する。
【００３６】
なお、ユーザにより投入された硬貨の金額で印刷可能である場合には、合計金額と、印刷するデータシート４０の枚数と、確認操作を要求する旨をタッチパネル３４ａに表示する。また、ユーザにより投入された硬貨の金額が印刷費用より大きい場合には、その差額の硬貨を図に示さない返金口に戻す。
【００３７】
次に、携帯端末２０の構成について説明する。
【００３８】
図４は携帯端末の構成例を示すブロック図である。なお、以下では、携帯端末に格納された情報の印刷に関連する構成について説明し、通話、電子メール送受信、およびネットワーク接続の動作のための構成についての詳細な説明を省略する。
【００３９】
携帯端末２０は、ユーザ登録情報を格納するための端末記憶部２１と、データ処理装置３０と情報の送受信をするための接続部となる入出力部２２と、各部を制御する端末制御部２４とを有する構成である。制御部２４は所定のプログラムに従って動作するＣＰＵ（不図示）と、プログラムを格納するためのメモリ（不図示）とを有する。なお、端末記憶部２１には、ユーザが操作手段（不図示）を操作することで、ユーザ登録情報が格納される。
【００４０】
端末制御部２４は、データ処理装置３０からユーザ登録情報の要求を受け付けると、端末記憶部２１に格納されたユーザ登録情報をデータ処理装置３０に送信する。
【００４１】
次に、上述した構成のデータ処理装置３０の動作手順を説明する。
【００４２】
図５はデータ処理装置の動作手順を示すフローチャートである。
【００４３】
ユーザが硬貨投入口３１ａに硬貨を投入すると（ステップＳ１）、データ処理装置３０は、所定のプログラムを動作して、タッチパネル３４ａを起動させ、操作手順を示す画面をタッチパネル３４ａに表示する（ステップＳ２）。
【００４４】
ユーザがタッチパネル３４ａの開始ボタンを押すと（ステップＳ３）、データ処理装置３０は携帯端末２０の接続を要求する旨をタッチパネル３４ａに表示する（ステップＳ４）。ユーザが携帯端末２０の入出力部２２を携帯端末接続ケーブル３１ａに接続してタッチパネル３４ａの接続確認ボタンを押すと（ステップＳ５）、データ処理装置３０は携帯端末２０と通信可能か否かを確認する（ステップＳ６）。
【００４５】
データ処理装置３０は、携帯端末２０との通信確立を確認すると、端末記憶部２１に格納されたユーザ登録情報を携帯端末２０に要求する。携帯端末２０は、データ処理装置３０からユーザ登録情報要求の信号を受け取ると、ユーザ登録情報をデータ処理装置３０に送出する（ステップＳ７）。
【００４６】
データ処理装置３０は、携帯端末２０からユーザ登録情報を受信すると、記憶部３２に格納する（ステップＳ８）。続いて、記憶部３２に格納した情報を所定の出力形式に編集して印刷レイアウトの概略をタッチパネル３４ａに表示する（ステップＳ９）。ユーザ登録情報が複数のデータシート４０に印刷される場合、印刷されるデータシート４０の枚数に応じて必要な金額を算出し、投入された硬貨の金額で印刷可能か否かを判定し（ステップＳ１０）、金額が不足していれば、追加金額と、追加硬貨を要求する旨をタッチパネル３４ａに表示する（ステップＳ１１）。
【００４７】
ユーザが硬貨投入口３１ａに追加硬貨を投入すると（ステップＳ１２）、データ処理装置３０は、投入された硬貨の全ての金額である合計金額と、印刷するデータシート４０の枚数と、確認操作を要求する旨をタッチパネル３４ａに表示する（ステップＳ１３）。
【００４８】
ユーザが確認ボタンを押すと（ステップＳ１４）、データ処理装置３０は合計金額に対応する枚数のデータシート４０を印刷部３３に印刷させて、データシート取出口３３ａに送り出す（ステップＳ１５）。データ処理装置３０は、印刷終了後、ユーザ登録情報を記憶部３２から削除する（ステップＳ１６）。
【００４９】
本発明では、ユーザの携帯端末２０に保存されている電話帳やブックマークなどのユーザ登録情報の文字データを肉眼で目視可能な状態で紙などの記録媒体に出力している。このように出力された印刷物をユーザが保管することで、携帯端末２０が万一の事故でユーザ登録情報を消失しても、印刷物にユーザ登録情報が残っているので、データ処理装置３０による印刷物をユーザ登録情報保存のバックアップとして適用できる。
【００５０】
また、携帯端末２０の機種変更の際、ユーザ登録情報を新しい携帯端末２０に全てコピーできない場合でも、ユーザが印刷物を見ながら新しい携帯端末２０に登録することが可能であるため、ユーザは携帯端末２０の機種を安心して変更できる。
【００５１】
また、携帯端末２０のユーザ側にパソコンやプリンタなどの電子機器を備えていなくても、ユーザは店舗や駅などに設置されたデータ処理装置３０を利用することで、携帯端末２０に保存されているユーザ登録情報を手軽にかつ安価に記録媒体に印刷して安全に保管することができる。
【００５２】
また、ユーザ登録情報の保存状態が電子データではなく印刷物であるため、メモリの故障および携帯端末２０の故障などの電気的・電子的な事故で電子データが消失しやすいのに対して、消失しにくい。
【００５３】
さらに、データ処理装置３０は、印刷終了後、記憶部３２に格納した情報を削除しているため、ユーザの情報が他人に漏れることがなく、ユーザのプライバシーが保護される。
【００５４】
なお、ユーザ登録情報に電子メールの情報を含むようにして、ユーザにとって大事な電子メールの情報をデータシート４０に出力するようにしてもよい。この場合、データ処理装置３０のタッチパネル３４ａが電子メールの内容を印刷するためのボタンを選択可能な状態で表示するようにして、ユーザがそのボタンを選択すると、制御部３６が電子メールの情報を携帯端末２０に要求し、携帯端末２０から受信した電子メールの情報を印刷部３３に出力させる。
【００５５】
上述のように電子メールの内容を印刷しておけば、ユーザによる誤操作で電子メールの内容を万一削除してしまっても、電子メールの内容をデータシート４０で保管してあるので、ユーザは電子メールの内容を読むことができる。このようにして、データ処理装置３０を電子メール保存のバックアップに適用できる。
【００５６】
（第２実施例）
本実施例は、携帯端末の機種変更などの際、ユーザ登録情報が予め格納された第１の携帯端末から、ユーザ登録情報の複写先となる第２の携帯端末に、ユーザ登録情報を簡単に複写できるようにしたものである。
【００５７】
本実施例の構成について説明する。なお、第１実施例と同様の構成については同一の符号を付し、その詳細な説明を省略する。
【００５８】
図６は本実施例の構成を示すブロック図である。
【００５９】
図６に示すように、本実施例のデータ処理装置３００は、第１実施例の記憶部３２に代えて、電子データを記録可能な記録媒体に情報を記録し、その記録媒体から情報を読み出し可能な記録部３７を設けている。電子データを記録可能な記録媒体には、ユーザが持ち運びに便利なものとして携帯用記録媒体がある。携帯用記録媒体には、例えば、携帯用磁気ディスク、ＩＣ（半導体集積回路）カード、光ディスクがある。
【００６０】
上述のデータ処理装置３００が携帯端末２０から携帯用磁気ディスクにユーザ登録情報を記録する動作手順について説明する。
【００６１】
ユーザが、ユーザ登録情報が格納された携帯端末２０を端末接続部３１に接続し、続いて、記録部３７に携帯用磁気ディスクを装着して、タッチパネル３４ａを操作する。制御部３６は、ユーザの操作によりユーザ登録情報を携帯端末２０から携帯用磁気ディスクに記録すること要求する旨の信号をタッチパネル３４ａより受け取ると、携帯端末２０にユーザ登録情報を要求する。制御部３６は、携帯端末２０からユーザ登録情報を受信すると、その情報を記録部３７に送出して、記録部３７にユーザ登録情報を携帯用磁気ディスクへ記録させる。
【００６２】
次に、データ処理装置３００が携帯用磁気ディスクに格納されたユーザ登録情報を携帯端末２０に複写する動作手順について説明する。
【００６３】
ユーザが、ユーザ登録情報の複写先となる携帯端末２０を端末接続部３１に接続し、続いて、ユーザ登録情報が格納された携帯用磁気ディスクを記録部３７に装着して、タッチパネル３４ａを操作する。制御部３６は、ユーザの操作によりユーザ登録情報を携帯用磁気ディスクから携帯端末２０に複写することを要求する旨の信号をタッチパネル３４ａより受け取ると、記録部３７に携帯用磁気ディスクに記録されたユーザ登録情報を携帯端末２０へ複写させる。
【００６４】
なお、携帯用磁気ディスクへの情報の記録、および携帯用磁気ディスクからの情報の読み出しの料金は、その情報量に応じて課金するようにしてもよく、情報量によらない固定金額であってもよい。
【００６５】
本実施例では、上述のようにして、携帯用記録媒体に予めユーザ登録情報を記録しておくことで、携帯端末２０の機種変更などの際、ユーザは、駅や店舗に設置されたデータ処理装置３００を利用して新しい携帯端末に手軽に登録し直すことができる。
【００６６】
また、ユーザは持ち運びできる携帯用記録媒体にユーザ登録情報を格納しているので、上述の処理を実行した後に携帯用記録媒体をデータ処理装置３００から引き抜いて管理することで、ユーザ登録情報が他人に知られる心配がない。
【００６７】
【発明の効果】
本発明は以上説明したように構成されているので、以下に記載する効果を奏する。
【００６８】
本発明では、ユーザの携帯端末に保存されている電話帳やブックマークなどのユーザ登録情報の文字データを肉眼で目視可能な状態で紙などの記録媒体に出力している。このように出力された印刷物をユーザが保管することで、携帯端末が万一の事故でユーザ登録情報を消失しても、印刷物にユーザ登録情報が残っているので、データ処理装置による印刷物をユーザ登録情報保存のバックアップとして適用できる。
【００６９】
また、携帯端末の機種変更の際、ユーザ登録情報を新しい携帯端末に全てコピーできない場合でも、ユーザが印刷物を見ながら新しい携帯端末に登録することが可能であるため、ユーザは携帯端末の機種を安心して変更できる。
【００７０】
また、携帯端末のユーザ側にパソコンやプリンタなどの電子機器を備えていなくても、ユーザは店舗や駅などに設置されたデータ処理装置を利用することで、携帯端末に保存されているユーザ登録情報を手軽にかつ安価に記録媒体に印刷して安全に保管することができる。
【００７１】
さらに、印刷終了後、記憶部に格納した情報を削除しているため、ユーザの情報が他人に漏れることがなく、ユーザのプライバシーが保護される。
【図面の簡単な説明】
【図１】本発明のデータ処理装置の一構成例を示すブロック図である。
【図２】データ処理装置の具体的構成例を示すブロック図である。
【図３】データ処理装置の外観を示す概略図である。
【図４】携帯端末の構成例を示すブロック図である。
【図５】データ処理装置の動作手順を示すフローチャートである。
【図６】本発明の第２実施例の構成を示すブロック図である。
【符号の説明】
２０    携帯端末
２１    端末記憶部
２２    入出力部
２４    端末制御部
３０、３００    データ処理装置
３１    端末接続部
３１ａ    携帯端末接続ケーブル
３２    記憶部
３３    印刷部
３３ａ    データシート取出口
３４    操作部
３４ａ    タッチパネル
３４ｂ    硬貨投入口
３６    制御部
３７    記録部
４０    データシート
【図１】
2004289271.tif 000003
【図２】
2004289271.tif 000004
【図３】
2004289271.tif 000005
【図４】
2004289271.tif 000006
【図５】
2004289271.tif 000007
【図６】
2004289271.tif 000008